(57)【特許請求の範囲】
【請求項１】
高圧空気を生成させるブロアーを内部に有する高圧空気生成部と、
前記ブロアーで生成された高圧空気を前記高圧空気発生部より外部に噴出するノズルと、
前記高圧空気発生部の下方に配置される水受け部と、
前記高圧空気生成部の奥側と前記水受け部の奥側とを接続する背壁面と、
前記ノズルからの高圧空気が前記水受け部に衝突して奥側に進むにしたがって両側へ流れるように、前記水受け部と前記背壁面の接続部に形成された流路変更部とを備えた手乾燥装置。
【請求項２】
高圧空気を生成させるブロアーを内部に有する高圧空気生成部と、
前記ブロアーで生成された高圧空気を前記高圧空気発生部より外部に噴出するノズルと、
前記高圧空気発生部の下方に配置される水受け部と、
前記高圧空気生成部の奥側と前記水受け部の奥側とを接続する背壁面と、
前記水受け部と前記背壁面の接続部に頂点を前方に向けて形成された三角錐状の流路変更部とを備えた手乾燥装置。
【請求項３】
高圧空気を生成させるブロアーを内部に有する高圧空気生成部と、
前記ブロアーで生成された高圧空気を前記高圧空気発生部より外部に噴出するノズルと、
前記高圧空気発生部の下方に配置される水受け部と、
前記高圧空気生成部の奥側と前記水受け部の奥側とを接続する背壁面と、
前記水受け部と前記背壁面の接続部に頂角を前方に向けて形成された三角柱状の流路変更部とを備えた手乾燥装置。
【請求項４】
高圧空気を生成させるブロアーを内部に有する高圧空気生成部と、
前記ブロアーで生成された高圧空気を前記高圧空気発生部より外部に噴出するノズルと、
前記高圧空気発生部の下方に配置される水受け部と、
前記高圧空気生成部の奥側と前記水受け部の奥側とを接続する背壁面と、
この背壁面に設けられ、前記水受け部からの高圧空気が前記背壁面に沿って前記高圧空気生成部側へ流れないように前記高圧空気の流路を変更する頂点が下を向くＶ字型の流路変更部とを備えた手乾燥装置。
【請求項５】
高圧空気を生成させるブロアーを内部に有する高圧空気生成部と、
この高圧空気生成部の底部前方に設けられ、前記ブロアーで生成された高圧空気を前記高圧空気発生部より外部に噴出するノズルと、
前記高圧空気発生部の下方に配置される水受け部と、
前記高圧空気生成部の奥側と前記水受け部の奥側とを接続する背壁面と、
前記高圧空気生成部の底部の前記背壁面近傍に設けられ、前記背壁面を上昇してくる高圧空気の流路を前記ノズルから吹出される高圧空気の吹出し方向とほぼ同じ方向になるように変更する流路変更部とを備えた手乾燥装置。
【請求項６】
ドレン溝部が、前記水受け部の左右両側にそれぞれ設けられ、前記水滴を回収することを特徴とする請求項１から５までのいずれかに記載の手乾燥装置。
【請求項７】
前記ノズルの先端が、前記背壁面側を向くように設けられたことを特徴とする請求項１から５までのいずれかに記載の手乾燥装置。
【請求項８】
前記ノズルの先端が、前記水受け部の先端顎部の内壁面から前記ノズルと前記水受け部との垂直距離のほぼ１／５以上奥側になるように設けられたことを特徴とする請求項１から５までのいずれかに記載の手乾燥装置。
【発明の詳細な説明】
【０００１】
【発明の属する技術分野】
この発明は、手に付着水滴を飛散させる手乾燥装置に関するものである。
【０００２】
【従来の技術】
洗浄後の濡れた手を衛生的かつ迅速に乾燥させるための従来の手乾燥装置としては図１０に示すような手乾燥装置がある。
この図において、１は高圧空気を生成する送風手段を具備した高圧空気生成部、２はこの高圧空気生成部１の底部壁面に設けられ、高圧空気を噴出する気流噴出ノズル、３はこの気流噴出ノズル２と対向するように高圧空気生成部１の下方に配置され、気流噴出ノズル２からの高圧空気及び該高圧空気で飛散された水滴を受ける水受け部、４はこの水受け部３の内部に設けられ、水受け部からの水を貯流するドレンタンク、５は高圧空気生成部１の噴出ノズル２と水受け部３との間に設けられ、手を挿抜する処理空間である手挿入空間、６はこの手挿入空間５の挿入方向の奥側に設けられ、高圧空気生成部１と水受け部３とを接続する背壁面である。
なお、高圧空気生成部１の送風手段１５は羽根１３とモーター１４を具備し、また、高圧空気生成部１は気流噴出ノズル２の近傍に手挿入空間内の手の有無を検知する手検知手段１６を具備している。
【０００３】
次に、この動作について説明する。
まず、手が手挿入空間５に挿入され、手検知手段１６が手の挿入を検知すると、送風手段１５が動作し、吸い込み口１９からの空気を圧縮しながら高圧空気を生成し、気流噴出ノズル２から水受け部３の先端顎部に向かって吹出す。
これにより手に付着した水分は水受け部３の方向へ吹き飛ばされ、水受け部３の壁面に設けられたドレン穴を介してドレンタンク４に回収される。
【０００４】
一方、付着水分を飛ばした高圧空気は、水受け部３の先端顎部に衝突し、その大部分は高圧空気生成部１と水受け部３との間に設けられた処理空間５の背面の背壁面６に沿って上昇し、高圧空気生成部１の底部壁面（ノズル側壁面）に当たって気流噴出ノズル２の方向へ流れるので、ノズル２から噴出された高圧空気と衝突する。
このため、この戻り気流によってノズル２から噴出された高圧空気は干渉されて音を発したり、高圧空気の噴出方向が乱されるようになる。
【０００５】
また、この戻り気流はその風力によって水受け部３や背壁面６に飛散した水滴を風旋回壁面に沿って持ち上げようとするため、水滴は水受け部３の両側面に設けられた排水溝等へ流れ難くなり、水滴回収率が低下するようになる。
【０００６】
また、このような手乾燥装置では、水受け部３の風受面が例え両側へ緩やかな勾配を有する構造のもであったとしても、前述の旋回風力よって水滴は排水溝等へ流れ難くなり、ドレンタンクへの水滴回収が素早く行えない。
【０００７】
【発明が解決しようとする課題】
以上説明したように従来の手乾燥装置においては、吹き出した高速・高圧空気流が水受け部に衝突し、高速空気吹き出し口に循環し、吹き出し空気と干渉するため、騒音が大きくなるという問題点があった。
【０００８】
また、高速・高圧空気流が水受け部の先端顎部に衝突し、循環するため、水滴回収率が低下するという問題点があった。
【０００９】
この発明は係る問題点を解決されるためになされたもので、水滴を素早く回収し、音の静かな手乾燥装置を得ることを目的とする。
【００１０】
【問題を解決するための手段】
以上説明したように、この発明は、高圧空気を生成させるブロアーを内部に有する高圧空気生成部と、前記ブロアーで生成された高圧空気を前記高圧空気発生部より外部に噴出するノズルと、前記高圧空気発生部の下方に配置される水受け部と、前記高圧空気生成部の奥側と前記水受け部の奥側とを接続する背壁面と、前記ノズルからの高圧空気が前記水受け部に衝突して奥側に進むにしたがって両側へ流れるように、前記水受け部と前記背壁面の接続部に形成された流路変更部とを備えたものである。
【００１１】
また、高圧空気を生成させるブロアーを内部に有する高圧空気生成部と、前記ブロアーで生成された高圧空気を前記高圧空気発生部より外部に噴出するノズルと、前記高圧空気発生部の下方に配置される水受け部と、前記高圧空気生成部の奥側と前記水受け部の奥側とを接続する背壁面と、前記水受け部と前記背壁面の接続部に頂点を前方に向けて形成された三角錐状の流路変更部とを備えたものである。
【００１２】
また、高圧空気を生成させるブロアーを内部に有する高圧空気生成部と、前記ブロアーで生成された高圧空気を前記高圧空気発生部より外部に噴出するノズルと、前記高圧空気発生部の下方に配置される水受け部と、前記高圧空気生成部の奥側と前記水受け部の奥側とを接続する背壁面と、前記水受け部と前記背壁面の接続部に頂角を前方に向けて形成された三角柱状の流路変更部とを備えたものである。
【００１３】
また、高圧空気を生成させるブロアーを内部に有する高圧空気生成部と、前記ブロアーで生成された高圧空気を前記高圧空気発生部より外部に噴出するノズルと、前記高圧空気発生部の下方に配置される水受け部と、前記高圧空気生成部の奥側と前記水受け部の奥側とを接続する背壁面と、この背壁面に設けられ、前記水受け部からの高圧空気が前記背壁面に沿って前記高圧空気生成部側へ流れないように前記高圧空気の流路を変更する頂点が下を向くＶ字型の流路変更部とを備えたものである。
【００１４】
また、高圧空気を生成させるブロアーを内部に有する高圧空気生成部と、この高圧空気生成部の底部前方に設けられ、前記ブロアーで生成された高圧空気を前記高圧空気発生部より外部に噴出するノズルと、前記高圧空気発生部の下方に配置される水受け部と、前記高圧空気生成部の奥側と前記水受け部の奥側とを接続する背壁面と、前記高圧空気生成部の底部の前記背壁面近傍に設けられ、前記背壁面を上昇してくる高圧空気の流路を前記ノズルから吹出される高圧空気の吹出し方向とほぼ同じ方向になるように変更する流路変更部とを備えたものである。
【００１５】
また、ドレン溝部が、前記水受け部の左右両側にそれぞれ設けられ、前記水滴を回収するものである。
【００１６】
また、前記ノズルの先端が、前記背壁面側を向くように設けられたものである。
【００１７】
また、前記ノズルの先端が、前記水受け部の先端顎部の内壁面から前記ノズルと前記水受け部との垂直距離のほぼ１／５以上奥側になるように設けられたものである。
【００１８】
【発明の実施の形態】
実施の形態１．
この実施の形態１の手乾燥装置を図１から図４を用いて説明する。これらの図において、１は高圧空気を生成する送風手段を具備した高圧空気生成部、２はこの高圧空気生成部１の底部壁面の前方に設けられ、高圧空気を噴出する気流噴出ノズル、３はこの気流噴出ノズル２と対向するように高圧空気生成部１の下方に配置され、気流噴出ノズル２からの高圧空気及び該高圧空気で飛散された水滴を受ける水受け部、４はこの水受け部３の内部に設けられ、水受け部からの水をドレン配管を介して貯流するドレンタンク、５は高圧空気生成部１の噴出ノズル２と水受け部３との間に設けられ、手を挿抜する処理空間である手挿入空間、６はこの手挿入空間５の挿入方向奥側に設けられ、高圧空気生成部１と水受け部３とを接続する背壁面である。
【００１９】
なお、水受け部３は、その水受け面の手挿入方向の奥側に、ノズル２からの高圧空気が水受け面３ａに衝突して奥側へ進むにしたがって手挿入空間の両側へ流れるように構成された流路変更部としての突起部８、即ち、例えば図２に示すように、三角錐状の頂点が挿入側方向に向いたものや、三角柱状の頂角が挿入側方向に向いたものを具備している。
また、高圧空気生成部１は羽根１３とモーター１４からなる送風手段１５を具備すると共に、気流噴出ノズル２の近傍に手挿入空間内の手の有無を検知する手検知手段１６を具備している。
【００２０】
次に、この動作について説明する。
まず、手が手挿入空間５に挿入され、手検知手段１６が手の挿入を検知すると、送風手段１５が動作し、吸い込み口１９からの空気を圧縮しながら高圧空気を生成し、気流噴出ノズル２から水受け部３へ向かって吹出す。
これにより手に付着した水等は水受け部３の方向へ高速・高圧空気（例えば、１００ｍ／ｓ）と共に吹き飛ばされる。
【００２１】
この時、水等を飛ばした高圧空気は、水受け部３の水受面３ａに衝突し、その後、その大部分は水受け部３の水受面に沿って手挿入方向の奥側に流れ、突起部８によって手挿入空間の両側へ流れるようになり、外部に吹出される。
【００２２】
一方、水受け部３に飛散した水等は、水受け部３の水受面に沿って流れる高圧空気の風力によって水受け部３の奥側へ流れた後、突起部８によって風の流れ方向が変わり、この変わった風力及び突起部８の勾配によって水受け部３の両側に設けられたドレン溝１７へ流れ、ドレン穴１８を介してドレンタンク４に回収される。
【００２３】
以上説明したように、水受け部３に、ノズル２からの高圧空気が衝突した後、手挿入奥側方向へ進にしたがって手挿入空間の両側へ流れるように突起部８を設けたので、水受け部３に衝突した高圧空気が手挿入空間の両側へ流れ、ノズル２からの高圧空気と衝突しないようになるため、手から飛散させた水等をスムースに流すと共に、音が静かで、スムースに高圧空気を吹出す信頼性の高い手乾燥装置が得られる。
【００２４】
実施の形態２．
この実施の形態２においては、実施の形態１の水受け部３の突起部８に相当する機能のものを背壁面６に設けたものであり、その他の構成は実施の形態１とほぼ同じである。
即ち、図５、６に示すように、背壁面６に水受け部３からの高圧空気が高圧空気生成部側へ流れないように流路変更部として、手挿入空間５の両側へ流れるように構成された実施の形態１のような突起部８又は図５に示すような頂点が下を向くＶ字型の突起部１０、或いはノズルから吹出される高圧空気の吹出し方向とほぼ同じ方向になるように変更する突起部１２を設けたものである。なお、図６に示す形態は参考例である。
【００２５】
次に、この動作について説明する。
まず、手が手挿入空間５に挿入され、手検知手段１６が手の挿入を検知すると、送風手段１５が動作し、吸い込み口１９からの空気を圧縮しながら高圧空気を生成し、気流噴出ノズル２から水受け部３へ向かって吹出す。
これにより手に付着した水等は水受け部３の方向へ高圧空気と共に吹き飛ばされる。
【００２６】
この時、水等を飛ばした高圧空気は、水受け部３の水受面３ａに衝突し、その後、その大部分は水受け部３の水受面に沿って手挿入方向の奥側に流れ、背壁面６に衝突し、その後、背壁面６に沿って上昇し、手挿入空間５へ向かって流れながら突起部１０によって手挿入空間の両側へ流れて外部に吹出されたり、或いは、図６に示された突起部１２によって、ノズルから吹出される高圧空気の吹出し方向とほぼ同じ方向になるように変更される。
即ち、水受け部３からの高圧空気が背壁面６に沿って高圧空気生成部１側へ流れないようにし、ノズルから吹出される高圧空気と衝突しないようにして、空気流がスムースに流れ、乱れないようにする。
【００２７】
一方、水受け部３に飛散した水等は、水受け部３の水受面に沿って流れる高圧空気の風力によって水受け部３の奥側（背壁面６）へ流れながら、背壁面６を上昇しようとするが、前述した高圧空気の流れの変化によって風の流れ方向が変わり、この変わった風力によって水受け部３の両側に設けられたドレン溝１７へ流れ、ドレン穴１８を介してドレンタンク４に回収される。
【００２８】
以上説明したように、水受け部３からの高圧空気が背壁面６に沿って高圧空気生成部側へ流れないように流路変更部を具備したので、水受け部３を介して背壁面６に衝突した高圧空気がノズル２からの高圧空気と衝突しないようになるため、手から飛散した水等をスムースに流すと共に、音が静かで、スムースに高圧空気を吹出す信頼性の高い手乾燥装置が得られる。
【００２９】
実施の形態３．
この実施の形態３においては、実施の形態２における背壁面６の流路変更部に相当するものを高圧空気生成部１のノズル面側（底部面）に設けたものであり、その他の構成は実施の形態２とほぼ同じである。
即ち、図７に示すように、高圧空気生成部１のノズル側面に、背壁面６からの高圧空気がノズルから吹出される高圧空気の吹出し方向とほぼ同じ方向になるように構成した流路変更部としての突起部１１を設けたものである。
【００３０】
次に、この動作について説明する。
まず、手が手挿入空間５に挿入され、手検知手段１６が手の挿入を検知すると、送風手段１５が動作し、吸い込み口１９からの空気を圧縮しながら高圧空気を生成し、気流噴出ノズル２から水受け部３へ向かって吹出す。
これにより手に付着した水等は水受け部３の方向へ高圧空気と共に吹き飛ばされる。
【００３１】
この時、水等を飛ばした高圧空気は、水受け部３の水受面３ａに衝突し、その後、その大部分は水受け部３の水受面に沿って手挿入方向の奥側に流れ、背壁面６に衝突し、その後、背壁面６に沿って上昇し、高圧空気生成部１へ向かって流れ、高圧空気生成部１の底部面であるノズル側面に衝突し、その後、この面に沿って流れながら流路変更部１１によってノズルから吹出される高圧空気の吹出し方向とほぼ同じ方向になるように変更され、手挿入空間５に吹出されるようになる。
【００３２】
一方、水受け部３に飛散した水等は、水受け部３の水受面に沿って流れる高圧空気の風力によって水受け部３の奥側へ流れながら、背壁面６を上昇しようとするが、自重と前述した高圧空気の流れ変化により、ドレン溝１７へ流れ、ドレン穴１８を介してドレンタンク４に回収される。
【００３３】
なお、この時、流路変更部１１を背壁面６の近傍に設けると、風路変更した高圧空気の風力によって飛散した水等をドレン溝１７へスムースに流すようになると共に、この風路変更した高圧空気の風力によって背壁面６を上昇してくる高圧空気を手挿入空間５の両側へ流すようになる。
【００３４】
また、この時、流路変更部１１を高圧空気生成部１の底部先端部、即ち、ノズル２の近傍に設けると、風路変更した高圧空気の風力によって手に付着した水等を飛散させるようになるため、水滴飛散力に再利用される。
【００３５】
以上説明したように、高圧空気生成部１の底部面であるノズル側面に、背壁面６からの高圧空気がノズルから吹出される高圧空気の吹出し方向とほぼ同じ方向になるように風路変更部を設けたので、背壁面６からの高圧空気が高圧空気生成部１を介して手挿入空間５に吹出されるようになるため、更に手に付着した水等を飛散させたり、或いは手から飛散した水等をスムースに流したりするようになる共に、音が静かで、スムースに高圧空気を吹出す信頼性の高い手乾燥装置が得られる。
【００３６】
また、以上の説明では、突起部１１を高圧空気生成部１の底部面に設けた構造のものを説明したが、背壁面６からの高圧空気がノズルから吹出される高圧空気の吹出し方向とほぼ同じ方向になるように高圧空気生成部１の底部面を凹み形状にして、ノズルから吹出される高圧空気の吹出し方向とほぼ同じ方向になるようにすると、ほぼ同じ効果が得られると共に、部品点数を少なくすることができる。
【００３７】
実施の形態４．
この実施の形態４においては、実施の形態１から実施の形態３に示した手乾燥装置において、図８に示すように、気流噴出ノズル２からの高圧空気が背壁面６方向へ向くように、気流噴出ノズル２の先端を背壁面側に向けるようにしたものである。
【００３８】
なお、このようにすると、ノズル２から吹出された高圧空気は水受け部３の顎部７に直接当たらず、顎部７の干渉を受けないばかりか、飛散した水等が顎部７の内壁面を超えて、床等を濡らさないようになるため、水滴による床濡れ等を防止できる。
【００３９】
実施の形態５．
この実施の形態５においては、実施の形態１から実施の形態３に示した手乾燥装置において、図９に示すように、水受け部３の先端顎部７の内壁面と気流噴出ノズル２との挿入方向の水平面距離が、気流噴出ノズル２と水受け部３との垂直距離のほぼ１／５（２０％）以上の寸法になるようにしたものである。
【００４０】
なお、このようにすると、一般的な手乾燥装置の吹出し風速である（例えば、１００ｍ／ｓ）の高圧空気の広がりを考慮しても、ノズル２からの高圧空気が水受け部３の顎部７に直接当たらず、顎部７の干渉を受けないばかりか、飛散した水等が顎部７の内壁面を超えて、床等を濡らさないようになるため、水滴による床濡れ等を防止できるようになる。
【００４１】
【発明の効果】
以上の説明からも明らかなように、請求項１、請求項２、請求項３の発明によれば、高圧空気を生成させるブロアーを内部に有する高圧空気生成部と、前記ブロアーで生成された高圧空気を前記高圧空気発生部より外部に噴出するノズルと、前記高圧空気発生部の下方に配置される水受け部と、前記高圧空気生成部の奥側と前記水受け部の奥側とを接続する背壁面と、前記ノズルからの高圧空気が前記水受け部に衝突して奥側に進むにしたがって両側へ流れるように、前記水受け部と前記背壁面の接続部に形成された流路変更部とを備えたので、水受け部３に衝突した高圧空気が手挿入空間の両側へ流れ、ノズル２からの高圧空気と衝突しないようになるため、手から飛散させた水等をスムースに流すと共に、音が静かで、スムースに高圧空気を吹出す信頼性の高い手乾燥装置が得られる。
【００４２】
また、請求項４の発明によれば、高圧空気を生成させるブロアーを内部に有する高圧空気生成部と、前記ブロアーで生成された高圧空気を前記高圧空気発生部より外部に噴出するノズルと、前記高圧空気発生部の下方に配置される水受け部と、前記高圧空気生成部の奥側と前記水受け部の奥側とを接続する背壁面と、この背壁面に設けられ、前記水受け部からの高圧空気が前記背壁面に沿って前記高圧空気生成部側へ流れないように前記高圧空気の流路を変更する頂点が下を向くＶ字型の流路変更部とを備えたので、水受け部３を介して背壁面６に衝突した高圧空気が高圧空気生成部側へ流れないようになり、ノズル２からの高圧空気と衝突しないようになるため、手から飛散した水等をスムースに流すと共に、音が静かで、スムースに高圧空気を吹出す信頼性の高い手乾燥装置が得られる。
【００４３】
また、請求項５の発明によれば、高圧空気を生成させるブロアーを内部に有する高圧空気生成部と、この高圧空気生成部の底部前方に設けられ、前記ブロアーで生成された高圧空気を前記高圧空気発生部より外部に噴出するノズルと、前記高圧空気発生部の下方に配置される水受け部と、前記高圧空気生成部の奥側と前記水受け部の奥側とを接続する背壁面と、前記高圧空気生成部の底部の前記背壁面近傍に設けられ、前記背壁面を上昇してくる高圧空気の流路を前記ノズルから吹出される高圧空気の吹出し方向とほぼ同じ方向になるように変更する流路変更部とを備えたので、手から飛散した水等をスムースに流したりするようになる共に、音が静かで、スムースに高圧空気を吹出す信頼性の高い手乾燥装置が得られる。
【００４４】
また、請求項６の発明によれば、ドレン溝部が、前記水受け部の左右両側にそれぞれ設けられ、前記水滴を回収するので、スピーディに排水処理をするようになるため、排水処理の良い手乾燥装置が得られる。
【００４５】
また、請求項７の発明によれば、前記ノズルの先端が、前記背壁面側を向くように設けられたので、飛散した水等が顎部７の内壁面を超えて、床等を濡らさないようになるため、水滴による床濡れ等を防止した信頼性の高い手乾燥装置が得られる。
【００４６】
また、請求項８の発明によれば、前記ノズルの先端が、前記水受け部の先端顎部の内壁面から前記ノズルと前記水受け部との垂直距離のほぼ１／５以上奥側になるように設けられたので、ノズルからの高圧空気が水受け部の顎部７に直接当たらず、顎部の干渉を受けないばかりか、飛散した水等が顎部の内壁面を超えて、床等を濡らさないようになるため、水滴による床濡れ等を防止した信頼性の高い手乾燥装置が得られる。
【図面の簡単な説明】
【図１】  実施の形態１の手乾燥装置の概略構成図である。
【図２】  実施の形態１の手乾燥装置の概略斜視図である。
【図３】  実施の形態１の手乾燥装置の概略構成図である。
【図４】  実施の形態１の手乾燥装置の概略斜視図である。
【図５】  実施の形態２の手乾燥装置の概略構成斜視図である。
【図６】  参考例の概略構成図である。
【図７】  実施の形態３の手乾燥装置の概略構成図である。
【図８】  実施の形態４の手乾燥装置の概略構成図である。
【図９】  実施の形態５の手乾燥装置の概略構成図である。
【図１０】  従来の手乾燥装置の概略構成図である。
【符号の説明】
１  高圧空気生成部、  ２  気流噴出ノズル、  ３  水受け部、  ４  ドレンタンク、  ５  処理空間（手挿入空間）、  ６  背壁面、  ７  顎部、  ８  突起部、  １０  ガイド、  １１  突起部、  １２  突起部、  １３  羽根、  １４  モーター、  １５  ブロアー、  １６  センサー（検知手段）、  １７  ドレン溝、  １８  ドレン穴、  １９  吸い込み口
【図１】
0003747723.tif 000002
【図２】
0003747723.tif 000003
【図３】
0003747723.tif 000004
【図４】
0003747723.tif 000005
【図５】
0003747723.tif 000006
【図６】
0003747723.tif 000007
【図７】
0003747723.tif 000008
【図８】
0003747723.tif 000009
【図９】
0003747723.tif 000010
【図１０】
0003747723.tif 000011